(57)【特許請求の範囲】
【請求項１】
予め特定された特定端末の操作内容に関するユーザ側の各種要請とこれらの要請に対応する前記特定端末の設定事項とをテーブル化した設定情報テーブルを格納した設定情報テーブル格納手段と、
前記特定端末のユーザ側の操作内容に関する所望設定内容を受信して各種要請を判別する要請判別手段と、
この要請判別手段で判別した各種要請に対応する前記特定端末の各種設定事項を前記設定情報テーブルで検索する検索手段と、
この検索手段の検索結果として得られた各種設定事項としてのプロファイルを前記特定端末の設定用に送信するプロファイル送信手段
とを具備することを特徴とするプロファイルサーバ。
【請求項２】
前記所望設定内容は、端末についての一般的な習熟度を表わす任意のレベルに対応する設定内容であることを特徴とする請求項１記載のプロファイルサーバ。
【請求項３】
前記プロファイル送信手段が前記プロファイルを送信した後、前記所望設定内容の修正内容のアンケートを前記特定端末に求めるアンケート実行手段と、このアンケート実行手段の実行結果に基づいて前記特定端末に対して前記所望設定内容の修正されたプロファイルを送信する修正プロファイル送信手段とを具備することを特徴とする請求項１記載のプロファイルサーバ。
【請求項４】
請求項１〜請求項３いずれかに記載のプロファイルサーバと、
このプロファイルサーバと接続して前記プロファイルをダウンロードして実行する前記特定端末
とを具備することを特徴とする端末設定内容制御システム。
【請求項５】
前記特定端末以外の所定端末が前記所望設定内容を判別するために前記プロファイルサーバに接続されることを特徴とする請求項４記載の端末設定内容制御システム。
【請求項６】
予め特定された特定端末のユーザ側の操作内容に関する所望設定内容をサーバに送信する所望設定内容送信ステップと、
この所望設定内容送信ステップで送信してきた所望設定内容を受信し、ユーザ側の各種要請を判別する要請判別ステップと、
操作内容に関するユーザ側の各種要請とこれらの要請に対応する前記特定端末の設定事項とをテーブル化した設定情報テーブルを使用して前記要請判別ステップで判別した要請に対応する各種設定事項を検索する検索ステップと、
この検索ステップで検索結果として得られた各種設定事項としてのプロファイルを前記特定端末の設定用に送信するプロファイル送信ステップと、
このプロファイル送信ステップで送信したプロファイルを前記特定端末に設定するプロファイル設定ステップ
とを具備することを特徴とする端末設定内容制御方法。
【請求項７】
前記プロファイル送信ステップで前記プロファイルを送信した後、前記所望設定内容の修正内容のアンケートを前記特定端末に求めるアンケート実行ステップと、このアンケート実行ステップによる実行結果に基づいて前記特定端末に対して前記所望設定内容の修正されたプロファイルを送信する修正プロファイル送信ステップとを更に具備することを特徴とする請求項６記載の端末設定内容制御方法。
【請求項８】
指定された端末に対して各種設定事項としてのプロファイルを送信して実行させるプロファイルサーバのコンピュータに、
予め特定された特定端末のユーザ側の操作内容に関する所望設定内容を受信する所望設定内容受信処理と、
この所望設定内容受信処理で受信した所望設定内容から、ユーザ側の各種要請を判別する要請判別処理と、
操作内容に関するユーザ側の各種要請とこれらの要請に対応する前記特定端末の設定事項とをテーブル化した設定情報テーブルを使用して前記要請判別処理で判別した要請に対応する各種設定事項を検索する検索処理と、
この検索処理で検索結果として得られた各種設定事項としてのプロファイルを前記特定端末の設定用に送信するプロファイル送信処理
とを実行させることを特徴とする端末設定内容制御プログラム。
【請求項９】
前記プロファイル送信処理で前記プロファイルを送信した後、前記所望設定内容の修正内容のアンケートを前記特定端末に求めるアンケート実行処理と、このアンケート実行処理による実行結果に基づいて前記特定端末に対して前記所望設定内容の修正されたプロファイルを送信する修正プロファイル送信処理とを更に実行させることを特徴とする請求項８記載の端末設定内容制御プログラム。
【発明の詳細な説明】
【技術分野】
【０００１】
本発明は、プロファイルサーバ、端末設定内容制御システム、端末設定内容制御方法および端末設定内容制御プログラムに係わり、特に端末のプロファイルを扱うプロファイルサーバ、このプロファイルサーバを用いた端末設定内容制御システム、端末設定内容制御方法および端末設定内容制御プログラムに関する。
【背景技術】
【０００２】
携帯電話機、ＰＨＳ（Personal Handyphone System）、ＰＤＡ（Personal Digital Assistants）あるいは通信機能を備えたパーソナルコンピュータ等の端末は、ユーザの各種の好み、あるいは各種の要請に対応できるように機能の多様化と高度化が図られている。たとえば、携帯電話機やＰＨＳを例にとると、着信の際の呼出音や画面の表示色については、多様な設定が行えるようになっている。
【０００３】
この一方で携帯電話機やＰＨＳ等の端末の中には、携帯できる大きさの装置であるというサイズ上での制約があり、操作部を構成するボタンやキーの個数が制限されることが多い。また、これらの端末の多くは小型の装置であるにも係らず、これを扱うユーザの幅は大変広く、年齢や装置に対する習熟度はさまざまである。
【０００４】
このため、高齢者で初心者に特化した装置の製品化も行われている。このような製品は画面に表示される文字が大きくなっており、また、電話を掛ける機能を備えている端末の場合でも、発信先を限定してボタン操作を簡略化している。また、付加機能も電子メールの送受信といった重要度の高いものに限定して操作の容易化を図っている。
【０００５】
しかしながら、高齢者であっても、限定された機能に満足しない者も多く、また、若年者であっても、その者にとって必要とされる機能を簡単に実現できる操作を望むことは多い。ボタンやキーの個数が制限された状態で機能が多様化すると、個々のユーザが望む特定の機能を呼び出すためのメニュー操作等の手順が複雑化してしまい、年齢を問わず、操作に対するハードルが高くなる。
【０００６】
そこで、多くの機能の中からユーザの望む特定の機能をワンタッチボタンに割り当てるようにすることが、本発明の関連技術として提案されている（たとえば特許文献１参照）。この関連技術では、カメラの撮影やブラウザによるインターネットの閲覧といったようなユーザが操作上で重視する機能を実現するプロファイルを選択的にダウンロードするためのプロファイルサーバを用意している。たとえば、あるユーザがカメラの撮影を迅速に行いたいと所望した場合には、プロファイルサーバからそのためのプロファイル情報をダウンロードする。すると、ユーザがワンタッチボタンを押すだけでカメラ機能が一発起動して、撮影を行える状態になる。このとき、撮影した画像を保存したり処理する領域としてメモリの割り当ても、写真撮影用に最適化されるようになっている。
【特許文献１】特開２００７−２０１９２２号公報（第００２５段落、図５）
【発明の開示】
【発明が解決しようとする課題】
【０００７】
このようにユーザが所望する幾つかの機能をそのユーザ自身に選択させてそれぞれ専用のワンタッチボタンにこれらの機能を割り当てるようにすることで、多くの機能の中からそれぞれのユーザに独自に対応した携帯型情報処理端末を実現することができる。しかしながら携帯電話機やＰＨＳ等の比較的小型の端末はボタンの配置スペースが元々わずかなものなので、ワンタッチボタンとして割り当てることのできるボタンの数は極めて少ない。また、これらの端末は、これらワンタッチボタンを押すだけですべての処理が終了するものでもない。カメラで撮影した画像を電子メールで送信したり、通話の途中で、話題となっている画像をメモリが呼び出してディスプレイで見ることも場合により必要である。
【０００８】
このようなときに、ユーザが現在所持している端末に不慣れであるか熟達しているかによって操作に大きな違いが生じる。特に、新しい機種に買い換えた直後のような場合には、メニュー画面から必要な操作を選択しようとしても、機能が多い場合には所望の機能を迅速に選択することができず操作に手間取ったり、所望の機能を探し出せないという問題があった。
【０００９】
以上、携帯電話機やＰＨＳ等の比較的小型の端末を主として説明したが、機器の小型化や高度化によって通常のサイズのコンピュータやファクシミリ装置といった各種の端末についても同様の問題がある。
【００１０】
そこで本発明の目的は、ユーザの習熟度に応じた操作内容に端末を設定することできるプロファイルサーバ、端末設定内容制御システム、端末設定内容制御方法および端末設定内容制御プログラムを提供することにある。
【００１１】
本発明の他の目的は、ユーザの身体的な特徴に合わせて操作内容を設定することできるプロファイルサーバ、端末設定内容制御システム、端末設定内容制御方法および端末設定内容制御プログラムを提供することにある。
【課題を解決するための手段】
【００１２】
本発明では、（イ）予め特定された特定端末の操作内容に関するユーザ側の各種要請とこれらの要請に対応する前記した特定端末の設定事項とをテーブル化した設定情報テーブルを格納した設定情報テーブル格納手段と、（ロ）前記した特定端末のユーザ側の操作内容に関する所望設定内容を受信して各種要請を判別する要請判別手段と、（ハ）この要請判別手段で判別した各種要請に対応する前記した特定端末の各種設定事項を前記した設定情報テーブルで検索する検索手段と、（ニ）この検索手段の検索結果として得られた各種設定事項としてのプロファイルを前記した特定端末の設定用に送信するプロファイル送信手段とをプロファイルサーバに具備させる。
【００１３】
また、本発明では、（イ）請求項１〜請求項３いずれかに記載のプロファイルサーバと、（ロ）このプロファイルサーバと接続して前記したプロファイルをダウンロードして実行する前記した特定端末とを端末設定内容制御システムに具備させる。
【００１４】
更に本発明では、（イ）予め特定された特定端末のユーザ側の操作内容に関する所望設定内容をサーバに送信する所望設定内容送信ステップと、（ロ）この所望設定内容送信ステップで送信してきた所望設定内容を受信し、ユーザ側の各種要請を判別する要請判別ステップと、（ハ）操作内容に関するユーザ側の各種要請とこれらの要請に対応する前記した特定端末の設定事項とをテーブル化した設定情報テーブルを使用して前記した要請判別ステップで判別した要請に対応する各種設定事項を検索する検索ステップと、（ニ）この検索ステップで検索結果として得られた各種設定事項としてのプロファイルを前記した特定端末の設定用に送信するプロファイル送信ステップと、（ホ）このプロファイル送信ステップで送信したプロファイルを前記した特定端末に設定するプロファイル設定ステップとを端末設定内容制御方法が具備することを特徴としている。
【００１５】
更にまた本発明では、指定された端末に対して各種設定事項としてのプロファイルを送信して実行させるプロファイルサーバのコンピュータに、端末設定内容制御プログラムとして、（イ）予め特定された特定端末のユーザ側の操作内容に関する所望設定内容を受信する所望設定内容受信処理と、（ロ）この所望設定内容受信処理で受信した所望設定内容から、ユーザ側の各種要請を判別する要請判別処理と、（ハ）操作内容に関するユーザ側の各種要請とこれらの要請に対応する前記した特定端末の設定事項とをテーブル化した設定情報テーブルを使用して前記した要請判別処理で判別した要請に対応する各種設定事項を検索する検索処理と、（ニ）この検索処理で検索結果として得られた各種設定事項としてのプロファイルを前記した特定端末の設定用に送信するプロファイル送信処理とを実行させることを特徴としている。
【発明の効果】
【００１６】
以上説明したように本発明によれば、多機能化された、あるいは各種機能の充実した端末に買い換えても、ユーザの習熟度や好みの機能や設定範囲でこれを使用開始することができるので、長期使用が可能になり、地球の資源の有効活用が可能となる。また、事業所等で使用する各種の端末を同一の使用態様で複数のユーザに使用させることも可能になる。
【発明を実施するための最良の形態】
【００１７】
＜発明の実施の形態＞
【００１８】
次に本発明を一実施の形態と共に説明する。
【００１９】
図１は本実施の形態における携帯型情報処理端末を使用した携帯型情報処理端末設定システムの構成の概要を表わしたものである。この携帯型情報処理端末設定システム１００は、携帯電話網１０１に接続され、各種のプロファイルを格納したプロファイルサーバ１０２と、同じく携帯電話網１０１に接続された無線用の基地局１０３と、この基地局１０３と無線で通信を行う第１および第２の携帯型情報処理端末１０４1、１０４2によって構成されている。基地局１０３は代表的に１つのみを図示しており、第１および第２の携帯型情報処理端末１０４1、１０４2も代表的に示したものである。また、プロファイルサーバ１０２は携帯電話網１０１に接続されている必要はなく、インターネット等の他のネットワークを介して携帯電話網１０１に接続されていてもよい。
【００２０】
図２は、本実施の形態のプロファイルサーバの構成の概要を表わしたものである。プロファイルサーバ１０２は、ＣＰＵ（Central Processing Unit）１２１と、このＣＰＵ１２１により実行する制御プログラムを格納したり作業用メモリ領域を備えたメモリ１２２を有する制御部１２３を備えている。制御部１２３は、次の各部を制御するようになっている。ただし、これらの各部の少なくとも一部は、ＣＰＵ１２１が制御プログラムを実行することによってソフトウェアで機能的に実現することができる。
【００２１】
通信制御部１２４は、図１に示した第１および第２の携帯型情報処理端末１０４1、１０４2等のプロファイルの設定を行う相手装置と通信を行うようになっている。プロファイルマッチング設定部１２５は、後に説明するメニューからプロファイルマッチング処理が選択されたときに機能する部分である。すなわち、プロファイルマッチング設定部１２５は相手装置のプロファイルを特定の相手装置のプロファイルに近似して設定する処理を行うようになっている。
【００２２】
グレード用プロファイル設定部１２６は、前記したメニューからグレード用プロファイル処理が選択されたときに機能する部分である。すなわち、グレード用プロファイル設定部１２６は相手装置のユーザのレベル（グレード）に応じたプロファイルの設定を行うときに使用される。
【００２３】
身体的特徴用プロファイル設定部１２７は、前記したメニューから身体的特徴用プロファイル処理が選択されたときに機能する部分である。すなわち、身体的特徴用プロファイル設定部１２７は第１および第２の携帯型情報処理端末１０４1、１０４2のようにユーザが端末を使用するときの年齢、既往症等に起因する個々の身体の特徴に沿ったプロファイルの設定を行うようになっている。
【００２４】
設定情報テーブル１２８は、各設定処理を行う際の情報がテーブル化されている。相手装置プロファイル保持部１２９は、プロファイルの設定を行う相手装置の設定前のプロファイルを一時的に保存する部分である。これは、ユーザが新たなプロファイルの設定を好まなかった場合に、設定前の状態に戻すためのものである。
【００２５】
図３は、設定情報テーブルの内容の主要なものを表わしたものである。設定情報テーブル１２８は、相手装置側のユーザの要請に沿ってプロファイルの設定を行うための情報源であり、幾つかのセクションに分かれている。メインメニュー項目情報セクション１４１は、相手装置のメニュー項目を解析し、たとえば初心者用のメニュー項目だとすればどのようなものとなるかといった情報とか、Ａという機種からＢという機種に買い換えるとき、Ａという機種に近いメニュー項目はどのようなものになるかというような情報がテーブル化されている。このような設定情報テーブル１２８は、各種装置の機能の充実化に応じて適宜、内容を更新していくことが好ましい。
【００２６】
機能メニュー項目情報セクション１４２は、第１および第２の携帯型情報処理端末１０４1、１０４2等のプロファイルの設定対象となる相手装置の有する個々の機能がメーカによって必ずしも統一されていないので、これらの各機能を対比する情報を格納している。また、初心者でも優先すべき機能といったように各機能の優先順位を、グレードや身体的特徴に合わせた情報として格納している。
【００２７】
文字情報セクション１４３は、文字サイズや、漢字で表記すべきか、平仮名等のカナで表記すべきか、あるいは絵文字に置き換えるかといった情報を、主に年齢等の身体的特徴に合わせた情報として格納している。また、同じ漢字であっても明朝体や行書体といったような書体の違いによってマトリックス表示を行ったときにサイズと読みやすさの関係が微妙に異なる場合があるので、書体に対するフォントのサイズの補正情報もテーブル化されている。
【００２８】
ブラウザ対応情報セクション１４４は、インターネットを閲覧したりするときに使用するブラウザに関する各種製品の対比情報を格納している。たとえばＡという機種からＢという機種に買い換えるときで、Ａという機種にブラウザαが備えられており、Ｂという機種にブラウザβとγが備えられているとすると、ブラウザαを使用していた者にとってどのブラウザがより抵抗感なく使えるかとか、高齢者に使いやすいブラウザの種類や設定内容等の各状況に応じた設定に関する情報が格納されている。
【００２９】
なお、図１に示す第１および第２の携帯型情報処理端末１０４1、１０４2は、携帯電話網１０１を介してプロファイルサーバ１０２にアクセスして必要な通信を行ってプロファイルの設定を行う機能と、このプロファイルサーバ１０２からプロファイルをダウンロードして自装置の図示しない動作情報テーブルの内容を書き換えることで自装置の動作を設定する機能を備えている。これらの機能は、プロファイル設定用の制御プログラムを第１および第２の携帯型情報処理端末１０４1、１０４2にインストールすることによって実現する。第１および第２の携帯型情報処理端末１０４1、１０４2自体のハードウェア上の構成は通常の携帯型情報処理端末と異ならないので、これらの装置の構成の図示および構成の具体的な説明は省略する。
【００３０】
図４は、携帯型情報処理端末側におけるプロファイルの設定処理の様子を表わしたものである。図１〜図３と共に説明する。ここでは、ユーザＡが第１の携帯型情報処理端末１０４1を今まで使用していて、これを第２の携帯型情報処理端末１０４2に買い換えて使用する場合を想定している。
【００３１】
まず、ユーザは今まで使用していた第１の携帯型情報処理端末１０４1でプロファイルサーバ１０２にアクセスする（ステップＳ２０１）。すると、プロファイルサーバ１０２と通信が開始した時点でプロファイルサーバ１０２が第１の携帯型情報処理端末１０４1の所定のプロファイルを要求する。これに基づいて第１の携帯型情報処理端末１０４1は要求されたプロファイルをプロファイルサーバ１０２に送信する（ステップＳ２０２）。プロファイルサーバは受信した第１の携帯型情報処理端末１０４1のプロファイルを相手装置プロファイル保持部１２９に格納する。
【００３２】
この状態でプロファイルサーバ１０２が操作用のメニュー画面を第１の携帯型情報処理端末１０４1に送信してくる。そこで第１の携帯型情報処理端末１０４1はこの送信されたメニュー項目を表示して（ステップＳ２０３）、ユーザの選択を待機する（ステップＳ２０４〜ステップＳ２０８）。ユーザはこの場合、今まで使用していた第１の携帯型情報処理端末１０４1のプロファイルデータをプロファイルサーバ１０２側に知らせることを望んでいる。そこで、ユーザは「前機種データ保存」というメニュー項目を選択する（ステップＳ２０８）。第１の携帯型情報処理端末１０４1は、このメニュー項目の選択を検知すると（ステップＳ２０８：Ｙ）、ステップＳ２０２で送信したプロファイルデータを前機種のデータとして保存することを指示して（ステップＳ２０９）、処理を終了する（エンド）。
【００３３】
図５はプロファイルサーバ側の処理の様子を表わしたものである。図１〜図３と共に説明する。
【００３４】
プロファイルサーバ１０２は、通常のアクセスがあるか（ステップＳ２２１）、プロファイルマッチング処理の指示があるか（ステップＳ２２２）、グレード用プロファイル作成処理の指示があるか（ステップＳ２２３）、身体的特徴用プロファイル作成処理の指示があるか（ステップＳ２２４）、初期化指示があるか（ステップＳ２２５）、あるいは前機種データ保存の指示があるか（ステップＳ２２６）の監視を行っている。
【００３５】
すでに説明したようにマッチングの前段階として第１の携帯型情報処理端末１０４1からアクセスがあると（ステップＳ２２１：Ｙ）、調整の対象とする所定のプロファイルの送信を要求する（ステップＳ２２７）。そして、プロファイルが送られてきたら（ステップＳ２２８：Ｙ）、これを相手装置プロファイル保持部１２９に格納する（ステップＳ２２９）。このとき、プロファイルを送ってきた第１の携帯型情報処理端末１０４1を特定する識別情報もこれに対応付けて格納する。
【００３６】
次に、図４のステップＳ２０９で前機種データ保存の指示があった場合には（ステップＳ２２６：Ｙ）、相手装置プロファイル保持部１２９に格納した第１の携帯型情報処理端末１０４1のプロファイルを前機種データのものであることに書き換えて保存を継続する（ステップＳ２３０）。
【００３７】
以上の処理が終了したら、ユーザは買い換え後の製品としての第２の携帯型情報処理端末１０４2を使用してプロファイルサーバ１０２にアクセスする（図４ステップＳ２０１）。すると、プロファイルサーバ１０２からプロファイルの送信要求があり（図５ステップＳ２２７）、第２の携帯型情報処理端末１０４2は自装置のプロファイルを送信する（図４ステップＳ２０２）。このプロファイルは相手装置プロファイル保持部１２９に第１の携帯型情報処理端末１０４1を特定する識別情報と共にペアで格納される（ステップＳ２２９）。すなわち、この状態で、このユーザに関して相手装置プロファイル保持部１２９には、買い換え前の第１の携帯型情報処理端末１０４1のプロファイルと買い換え後の第２の携帯型情報処理端末１０４2の双方のプロファイルが並存することになる。
【００３８】
この状態で、第２の携帯型情報処理端末１０４2の表示画面には、前に説明した「前機種データ保存」というメニュー項目（図４ステップＳ２０８）以外に、「プロファイルマッチング」（ステップＳ２０４）、「グレード用プロファイル」（ステップＳ２０５）、「身体特徴別プロファイル」（ステップＳ２０６）および「プロファイル初期化」（ステップＳ２０７）の各メニュー項目が表示されている。
【００３９】
ここで、ユーザが図４における「プロファイルマッチング」のメニュー項目を選択すると（ステップＳ２０４：Ｙ）、プロファイルマッチング処理の指示がプロファイルサーバ１０２側に送出される（ステップＳ２１０）。プロファイルサーバ１０２側では、図５に示すようにプロファイルマッチングの処理の指示が来ると（ステップＳ２２２：Ｙ）、買い換え前の第１の携帯型情報処理端末１０４1のプロファイルと買い換え後の第２の携帯型情報処理端末１０４2の共通の設定内容あるいは共通の機能を調べるマッチング処理が実行される（ステップＳ２３１）。
【００４０】
ところで、プロファイルマッチング処理の指示（ステップＳ２１０）は、たとえば２つの指示の中からユーザに１つを選択させるようになっている。このうちの１つは、前の機種に存在した機能のみを後の機種で有効にするという指示であり、残りは、前の機種に存在した機能のみならず、現在一般的となっている機能を含めて、これらを後の機種で有効にするという指示である。後の機種に存在する特殊な機能までも有効にする指示は行わない。
【００４１】
したがって、図５に示すステップＳ２３１のプロファイルマッチング処理では、指示内容に従って第２の携帯型情報処理端末１０４2の機能（設定内容も含む。）の中からユーザの使用できる機能が選択される。前の機種に存在した機能のみを後の機種で有効にするという指示に基づくものであれば、第１の携帯型情報処理端末１０４1に存在した機能のみを有効にしたプロファイルが作成される。そして、このプロファイルが第２の携帯型情報処理端末１０４2に送信される（ステップＳ２３２）。このプロファイルは図４のステップＳ２１１で第２の携帯型情報処理端末１０４2にダウンロードされて、プロファイルの書き換えが行われる。この後、第２の携帯型情報処理端末１０４2は再起動されて（ステップＳ２１２）、第１の携帯型情報処理端末１０４1と同一の機能あるいは第１の携帯型情報処理端末１０４1を超えない機能範囲で動作することになる。これにより、新たな機能を必要としないユーザであれば、第２の携帯型情報処理端末１０４2を早期に使いこなせるようになる。
【００４２】
一方、ユーザが、前の機種に存在した機能のみならず、現在一般的となっている機能を含めて、これらを後の機種で有効にするという指示を行ったとする。たとえば第１の携帯型情報処理端末１０４1にはＧＰＳ（Global Positioning System）機能やワンセグ放送（1 segment broadcasting）受信機能が存在せず、発売時期の違いによって、第２の携帯型情報処理端末１０４2やその他の装置でこれが普通の機能として受け入れられているとする。この一方で、電子マネーによる決済機能は第２の携帯型情報処理端末１０４2に備えられているが、一部の機種にしか普及していない機能であるとする。この場合、プロファイルサーバ１０２は設定情報テーブル１２８を検索して、両機種に共通する機能の他に第２の携帯型情報処理端末１０４2で実現しているＧＰＳ機能とワンセグ放送受信機能を追加的に有効にする内容にしてプロファイルを第２の携帯型情報処理端末１０４2に送信する（ステップＳ２３２）。
【００４３】
このプロファイルは図４のステップＳ２１１で第２の携帯型情報処理端末１０４2にダウンロードされて、プロファイルの書き換えが行われる。この後、第２の携帯型情報処理端末１０４2は再起動される（ステップＳ２１２）。これにより、この後者の場合には、第１の携帯型情報処理端末１０４1と同一の機能の他にＧＰＳ機能とワンセグ放送受信機能が動作する環境となる。これにより、ユーザは当面必要としない特殊な機能を排除した形で、しかも時代に適合した機能を追加することで、第２の携帯型情報処理端末１０４2を比較的早期に使いこなせるようになる。
【００４４】
次に、ユーザがメニュー項目表示（図４ステップＳ２０３）からグレード用プロファイルを選択した場合を説明する（ステップＳ２０５：Ｙ）。この場合、ユーザはそのグレードを選択してグレード用設定処理をプロファイルサーバ１０２に指示する（ステップＳ２１３）。
【００４５】
図６は、プロファイルサーバがグレード用の指示を行った際に第２の携帯型情報処理端末の表示画面の一例を示したものである。表示画面１５１には、「自分のグレードを選択してください」という選択肢が現われ、ユーザは自分がこの種の装置に対して初心者であるか、中級者であるか、あるいは上級者であるかを選択するようになっている。
【００４６】
なお、先に説明したプロファイルマッチング処理（ステップＳ２３１）と異なり、それ以外のプロファイル処理では前にどのような装置を使用していたかを参考にしない。したがって、第２の携帯型情報処理端末１０４2がこの種の装置として初めて使用する装置であるというユーザも存在する。このようなユーザは「初心者」という選択肢を選択することで、初心者に適したプロファイルの選択が行われることになる。
【００４７】
第２の携帯型情報処理端末１０４2からグレード用設定処理の指示があると（図５ステップＳ２２３：Ｙ）、プロファイルサーバ１０２はその指示内容に応じて設定情報テーブル１２８を検索して、最適なプロファイルを作成する（ステップＳ２３３）。このプロファイルは第２の携帯型情報処理端末１０４2に送信される（ステップＳ２３２）。第２の携帯型情報処理端末１０４2はこれをダウンロードして（図４ステップＳ２１１）、プロファイルの書き換えが行われる。この後、第２の携帯型情報処理端末１０４2は再起動される（ステップＳ２１２）。これにより、第２の携帯型情報処理端末１０４2が比較的高級な機種でも、ユーザはこれを初心者用等の自己のグレードに応じた使いこなしを行うことができる。
【００４８】
次に、ユーザがメニュー項目表示（ステップＳ２０３）から身体的特徴用プロファイルを選択した場合を説明する（ステップＳ２０６：Ｙ）。この場合、ユーザは自分の身体的特徴を選択して身体的特徴用設定処理をプロファイルサーバ１０２に指示する（ステップＳ２１４）。
【００４９】
図７は、プロファイルサーバが身体的特徴用の指示を行った際に第２の携帯型情報処理端末の表示画面の一例を示したものである。表示画面１５１には、「自分の身体的特徴を選択してください」という選択肢が現われ、ユーザは自分が装置の操作上でどのような身体的特徴があるかを選択する。「小さい文字が見にくい」や「ポインタ操作が苦手」といった具体的なポイント、あるいは年代別からなる選択肢を設け、その中からを選択させることで、目で見る際の文字のフォントの大きさを定めたり、カーソルの操作の適不適、あるいは図形の大きさといったものをプロファイルサーバ１０２側で選択できるようにしている。複数の選択肢を選択できるようにしてもよい。
【００５０】
第２の携帯型情報処理端末１０４2から身体的特徴の指示があると（図５ステップＳ２２４：Ｙ）、プロファイルサーバ１０２はその指示内容に応じて設定情報テーブル１２８を検索して、最適なプロファイルを作成する（ステップＳ２３４）。たとえば、小さい字が見にくいことを指示したりユーザが７０歳以上である場合には、フォントのサイズを大きめに設定するプロファイルを作成する。また、ポインタ操作が苦手なことを指示したり、ある程度の高年齢者である場合には、カーソルが細かく移動するような操作をなるべく避けるプロファイルに変更したり、画像を拡大して表示するようにして操作が楽に行われるようなプロファイルに変更する。音声についても同様の配慮が可能である。
【００５１】
このようにして作成されたプロファイルは第２の携帯型情報処理端末１０４2に送信される（ステップＳ２３２）。第２の携帯型情報処理端末１０４2はこれをダウンロードして（図４ステップＳ２１１）、プロファイルの書き換えが行われる。この後、第２の携帯型情報処理端末１０４2は再起動される（ステップＳ２１２）。これにより、第２の携帯型情報処理端末１０４2のユーザが自分の身体的な特徴に合った操作を行えるようになる。
【００５２】
最後に、ユーザがメニュー項目表示（ステップＳ２０３）からプロファイル初期化を選択した場合を説明する（ステップＳ２０７：Ｙ）。この場合、第２の携帯型情報処理端末１０４2は、元のプロファイルの設定の指示をプロファイルサーバ１０２に送出する（ステップＳ２１５）。設定変更したプロファイルをユーザが気に入らなかった場合には、この指示が行われる。
【００５３】
プロファイルサーバ１０２はこの初期化の指示を受けると（ステップＳ２２５：Ｙ）、現機種としての第２の携帯型情報処理端末１０４2のプロファイルを相手装置プロファイル保持部１２９から読み出す（ステップＳ２３５）。このプロファイルは第２の携帯型情報処理端末１０４2に送信される（ステップＳ２３２）。第２の携帯型情報処理端末１０４2はこれをダウンロードして（図４ステップＳ２１１）、プロファイルの書き換えが行われる。この後、第２の携帯型情報処理端末１０４2は再起動される（ステップＳ２１２）。これにより、第２の携帯型情報処理端末１０４2のユーザは第２の携帯型情報処理端末１０４2の設定内容を購入直後の状態に戻すことができる。
【００５４】
＜実施の形態の変形可能性＞
【００５５】
以上説明した実施の形態では、たとえばユーザが第２の携帯型情報処理端末１０４2を購入したとき、その機能を一部制限したり、フォントのサイズを変更する等の修正を行うことで、ユーザの取り扱いの便宜を図っている。しかしながら、ユーザがその装置に次第に熟達してくると、装置の本来備えている機能を少しずつ増やしていくことが好都合なことが多い。この場合、たとえばユーザがグレード用のプロファイルの選択として「初心者」を当初選択した場合には、ある時点で「中級者」を選択することも一つのやり方となる。ところが、プロファイルマッチング設定部１２５で新旧の２つの装置のマッチングをはかったような場合には、この後に「中級者」あるいは「上級者」を選択してグレードアップを図るようなものでもない。不要な機能や設定内容が一括して追加される可能性があるためである。また、「初心者」を当初選択したユーザの中には、同様に、自分のほしい機能だけ追加するだけでよく、「中級者」にグレードアップして多くの機能を追加されるのを好まない場合もあり得る。
【００５６】
図８は、以上説明した実施の形態の変形例として、プロファイルサーバから所定の日時が経過した後に携帯型情報処理端末に送られてくる機能アップの誘い（アンケート）の表示画面の一例を示したものである。図１に示したプロファイルサーバ１０２は、プロファイルのダウンロードを行った第２の携帯型情報処理端末１０４2に対して、その本来実現できる機能と現在のプロファイルの設定により実現できる機能の差分をとった機能を、現在の機能に追加できる機能として通知するようになっている。
【００５７】
第２の携帯型情報処理端末１０４2では、この通知を自装置の表示画面１５１に表示して、ユーザが追加を希望する機能があれば、それを選択させる。そして、選択した新たな機能も含めた各種の機能を選択し実行できるメニュー画面等のプロファイルを第２の携帯型情報処理端末１０４2にダウンロードさせるようにしている。
【００５８】
これとは逆に、ユーザが新たな機能を必要としたとき等にプロファイルサーバ１０２にアクセスして、現在設定されているプロファイルと本来設定可能なプロファイルの差分となる機能や設定状態を通知させ、新たな機能を選択的に追加したり、フォントのサイズや発信用あるいは着信用等のアプリケーションソフトウェアのオン・オフ等の設定を変更するようにしてもよい。また、実施の形態では相手装置プロファイル保持部１２９に格納した自装置のプロファイルを上書きしたが、初期化機能を保持するためこれを継続的に保持するようにしてもよい。
【００５９】
このように以上説明した実施の形態およびその変形例によれば、ユーザが仮に機能や設定条件の豊富な携帯型情報処理端末を購入したり貸与されたとしても、必要な機能や設定条件に絞ってその装置を利用することができる。これは、メニュー画面のメニュー表示もその分だけ単純化できることを意味し、またユーザが間違って所定のボタンを押したときも、自分が使用しないアプリケーションソフトウェアが起動するといったこともなくなり、特にユーザが初心者である場合には、装置の使いよさという意味で非常に大きな効果となる。
【００６０】
また、ユーザが自分の使用する携帯型情報処理端末に慣れれば、その段階で新たな機能や設定内容に挑戦することができる。したがって、無理なく装置の適用範囲を広げることができる。したがって、携帯型情報処理端末を初心者用、中級者用、あるいは上級者用と買い換えたり、借り替えたりする必要がなく、ユーザの経済的な負担を軽減させることができる。また、メーカも、各種の機能やそのためのアプリケーションソフトウェアの開発に注力することができる。
【００６１】
更に、本実施の形態およびその変形例によれば、耳が聞こえにくいとか、小さな文字が見えにくいといったような各種の身体的な特徴に携帯型情報処理端末を可能な限り合わせることができるので、結果的にユーザの幅を広げることができ、しかも、ユーザに優しい装置を構成することができる。
【００６２】
なお、実施の形態およびその変形例では携帯端末を中心に説明したが、すでに説明したように本発明は機能や設定内容が異なる複数の製品が市場に存在するあらゆる装置あるいは端末に適用可能であることは当然である。
【図面の簡単な説明】
【００６３】
【図１】本実施の形態における携帯型情報処理端末設定システムの構成の概要を表わしたシステム構成図である。
【図２】本実施の形態のプロファイルサーバの構成の概要を表わしたブロック図である。
【図３】本実施の形態で設定情報テーブルの内容の主要なものを表わした説明図である。
【図４】本実施の形態で携帯型情報処理端末側におけるプロファイルの設定処理の様子を表わした流れ図である。
【図５】本実施の形態でプロファイルサーバ側の処理の様子を表わした流れ図である。
【図６】本実施の形態でグレード用の指示を行った際に第２の携帯型情報処理端末の表示画面の一例を示した平面図である。
【図７】プロファイルサーバが身体的特徴用の指示を行った際に第２の携帯型情報処理端末の表示画面の一例を示した平面図である。
【図８】実施の形態の変形例として、プロファイルサーバから送られるアンケートの表示画面の一例を示した平面図である。
【符号の説明】
【００６４】
１００  携帯型情報処理端末設定システム
１０１  携帯電話網
１０２  プロファイルサーバ
１０４  携帯型情報処理端末
１２１  ＣＰＵ
１２２  メモリ
１２５  プロファイルマッチング設定部
１２６  グレード用プロファイル設定部
１２７  身体的特徴用プロファイル設定部
１２８  設定情報テーブル
１５１  表示画面
【図１】
0005135517.tif 000002
【図２】
0005135517.tif 000003
【図３】
0005135517.tif 000004
【図４】
0005135517.tif 000005
【図５】
0005135517.tif 000006
【図６】
0005135517.tif 000007
【図７】
0005135517.tif 000008
【図８】
0005135517.tif 000009